(57)【要約】      （修正有）【課題】シートによって空間を仕切ることができ、軽量で、かつ、利用者のプライバシーを確保することができるパーティションを提供する。【解決手段】パーティション１は、略矩形をなし、略矩形をなすシート状の間仕切り部材であって、略垂直に起立した状態で水平方向に並ぶ複数の略矩形の領域５〜８、２５〜２８を有する間仕切り部材と、各領域に２本ずつ取付けられる複数の第一の棒状部材３３〜３８、４１とを備え、各領域に取り付けられる２本の第一の棒状部材のうちの１本の両端部が、各領域の四隅のうち、対角に位置する二隅を結ぶように領域に取り付けられ、各領域に取り付けられる２本の第一の棒状部材のうちの他の１本の両端部が、対角に位置する残りの二隅を結ぶように領域に取り付けられることにより、各領域が略平面状に張られる。【選択図】図６
0003230764.tif 000002
【実用新案登録請求の範囲】
【請求項１】
略矩形をなすシート状の間仕切り部材であって、略垂直に起立した状態で水平方向に並ぶ複数の略矩形の領域を有する前記間仕切り部材と、
各前記領域に２本ずつ取付けられる複数の第一の棒状部材とを備え、
各前記領域に取り付けられる２本の前記第一の棒状部材のうちの１本の両端部が、各前記領域の四隅のうち、対角に位置する二隅を結ぶように前記領域に取り付けられ、
各前記領域に取り付けられる２本の前記第一の棒状部材のうちの他の１本の両端部が、対角に位置する残りの二隅を結ぶように前記領域に取り付けられることにより、各前記領域が略平面状に張られることを特徴とするパーティション。
【請求項２】
各前記領域に取り付けられる２本の前記第一の棒状部材はそれぞれ、前記領域に取付けられていないときに略直線状をなし、かつ、撓んだ状態で各前記領域に取り付けられることを特徴とする請求項１に記載のパーティション。
【請求項３】
前記間仕切り部材は複数枚であり、
さらに、各前記領域に２本ずつ前記第一の棒状部材が取り付けられて、略垂直に起立した複数の前記間仕切り部材が、水平方向に互いに連結可能に構成されたことを特徴とする請求項１または２に記載のパーティション。
【請求項４】
前記間仕切り部材の幅方向両端部を互いに連結可能に構成され、
さらに、幅方向両端部が互いに連結され、形成された空間内下部の少なくとも１つの角部に設けられ、前記間仕切り部材の下縁の変形を防止する変形防止部材を備えたことを特徴とする請求項１ないし３のいずれか１項に記載のパーティション。
【請求項５】
さらに、前記間仕切り部材に取り付けられ、前記間仕切り部材を略垂直に起立させた状態で保持する支持部材を備えたことを特徴とする請求項１ないし４のいずれか１項に記載のパーティション。
【考案の詳細な説明】
【技術分野】
【０００１】
本考案は、避難所などの広い空間に設置され、かかる空間を仕切り、利用者のプライバシーを確保するパーティションに関するものである。
【背景技術】
【０００２】
避難所として用いられる体育館や集会所などの建物内において、空間を仕切るために設置されるパーティションが知られている。
【０００３】
このようなパーティションは、通常、組み立て式に構成されており、解体された状態で倉庫などに保管され、災害などが発生した際に、避難所に運び込まれて、組み立てられる。
【０００４】
例えば、特許文献１には、複数の板状のパネルを、金具を用いて連結させることによって、平面視略矩形の区画を形成し、利用者のプライバシーを確保することができるパーティションが開示されている。
【０００５】
しかしながら、特許文献１に記載されたパーティションにおいては、金具を用いて複数のパネル同士を連結させる作業が容易でなかった。
【０００６】
さらに、非常時に、数多くの避難者が利用する避難所においては、大量のパネルを、倉庫に保管し、さらに倉庫から避難所へ運び入れることが必要で、パーティションが嵩張って倉庫内に大きなスペースが必要になり、加えて、運搬が容易でないという問題があった。
【０００７】
以上のような問題を解決するため、例えば、特許文献２には、矩形のシートを用い、上下方向に延びる複数の棒状部材に取付けることによって、矩形のシートを略垂直に起立させた状態で保持し、間仕切り部材として用いるパーティションが開示されている。このように、特許文献２においては、間仕切り部材として、パネルの代わりにシートが用いられているから、シートを、複数の棒状部材から取り外して、小さく折り畳むことによって、狭いスペースに保管し、容易に運搬することができる。
【先行技術文献】
【特許文献】
【０００８】
【特許文献１】特開２００６−１９４０４３号
【特許文献２】特開２０１２−２２５０８９号
【考案の概要】
【考案が解決しようとする課題】
【０００９】
しかしながら、特許文献２に記載されたパーティションにおいては、上下方向に延びる複数の棒状部材がそれぞれ、床面に載置される円柱状の支持部材に固定されており、シートが支持部材の高さ位置まで下方に延びていないため、避難所の床とシートとの間に、支持部材の高さの分だけ隙間が形成され、特に、利用者が横になったときに、プライバシーを確保することができないという問題があった。
【００１０】
また、複数の棒状部材および円柱状の支持部材は、樹脂、金属、木などの剛性を有する材料で構成されるため、重く、運搬が容易でなかった。
【００１１】
したがって、本考案は、シートによって空間を仕切ることができ、軽量で、かつ、利用者のプライバシーを確保することができるパーティションを提供することを目的とするものである。
【課題を解決するための手段】
【００１２】
本考案のかかる目的は、
略矩形をなすシート状の間仕切り部材であって、略垂直に起立した状態で水平方向に並ぶ複数の略矩形の領域を有する前記間仕切り部材と、
各前記領域に２本ずつ取付けられる複数の第一の棒状部材とを備え、
各前記領域に取り付けられる２本の前記第一の棒状部材のうちの１本の両端部が、各前記領域の四隅のうち、対角に位置する二隅を結ぶように、前記領域に取り付けられ、
各前記領域に取り付けられる２本の前記第一の棒状部材のうちの他の１本の両端部が、対角に位置する残りの二隅を結ぶように前記領域に取り付けられることにより、各前記領域が略平面状に張られることを特徴とするパーティションによって達成される。
【００１３】
本考案によれば、シート状の間仕切り部材の各領域に取付けられる２本の第一の棒状部材の両端部がそれぞれ、各領域の対角に位置する二隅を結ぶように取り付けられるから、２本の第一の棒状部材によって、間仕切り部材の各領域を、四隅に至るまで略平面状にピンと張ることができる。
【００１４】
さらに、第一の棒状部材を用いて、間仕切り部材の各領域を平面状にピンと張ることによって、屏風のように、間仕切り部材の隣接する領域同士に平面視で角度をつけて、床に対して間仕切り部材を略垂直に自立させることができるから、特許文献２に記載されたパーティションのように、棒状部材を支持する支持部材を別途設けて、または、棒状部材を、安定して自立可能な程度に太く構成する必要がなく、したがって、パーティションを軽量に製作することができる。
【００１５】
また、本考案によれば、シート状の間仕切り部材の各領域の二隅を結ぶように、第一の棒状部材を取り付け、隣接する領域同士に平面視で角度をつけて設置することによって、パーティションとして自立させることができるから、間仕切り部材と床（避難所などの設置面）との間にパーティションの部材を別途配置する必要がなく、間仕切り部材の下辺を床に当接させることができ、したがって、利用者のプライバシーを確保することができる。
【００１６】
本考案の好ましい実施態様においては、
各前記領域に取り付けられる２本の前記第一の棒状部材はそれぞれ、前記領域に取付けられていないときに略直線状をなし、かつ、撓んだ状態で各前記領域に取り付けられる。
【００１７】
本考案のこの好ましい実施態様によれば、間仕切り部材の各領域に取り付けられる２本の第一の棒状部材がそれぞれ、撓んだ状態で各領域に取り付けられるから、各第一の棒状部材の反発力を利用して、間仕切り部材の各領域を、略平面状により一層ピンと張ることができる。
【００１８】
本考案のさらに好ましい実施態様においては、
前記間仕切り部材は複数枚であり、
さらに、各前記領域に２本ずつ前記第一の棒状部材が取り付けられて、略垂直に起立した複数の前記間仕切り部材が、水平方向に互いに連結可能に構成されている。
【００１９】
本考案のこの好ましい実施態様によれば、複数の間仕切り部材を水平方向に連結することができるから、間仕切り部材の水平方向の長さを調節することが可能になる。
【００２０】
本考案のさらに好ましい実施態様においては、
前記間仕切り部材の幅方向両端部を互いに連結可能に構成され、
さらに、幅方向両端部が互いに連結され、形成された空間内下部の少なくとも１つの角部に設けられ、前記間仕切り部材の下縁の変形を防止する変形防止部材を備えている。
【００２１】
本考案のこの好ましい実施態様によれば、間仕切り部材の幅方向両端部が互いに連結されて形成された空間内の角部に設けられた変形防止部材によって、間仕切り部材の下縁の変形を防止することができるから、風が吹いたり、人や物が間仕切り部材に接触した場合に、間仕切り部材の下縁の変形を防止することができる。
【００２２】
本考案のさらに好ましい実施態様においては、
さらに、前記間仕切り部材に取り付けられ、前記間仕切り部材を略垂直に起立させた状態で保持する支持部材を備えている。
【００２３】
本考案のこの好ましい実施態様によれば、シート状の間仕切り部材を略垂直に起立させた状態で保持する支持部材を備えているから、間仕切り部材の隣り合う矩形の領域同士を平面視で角度を付けて配置する必要がなく、間仕切り部材を平面視で略直線状に配置することが可能になる。
【考案の効果】
【００２４】
本考案によれば、シートによって空間を仕切ることができ、軽量で、かつ、利用者のプライバシーを確保することができるパーティションを提供することが可能になる。
【図面の簡単な説明】
【００２５】
【図１】図１は、本考案の好ましい実施態様にかかるパーティションの略斜視図である。
【図２】図２は、第一のシートが平面状に広げられた状態を示す図面である。
【図３】図３は、第一のシートに１６本の第一の棒状部材が取り付けられた状態を示す図面である。
【図４】図４は、第一のシートの隣り合う矩形領域同士の境目部分に固定された布の近傍の部分拡大図である。
【図５】図５は、扉として使用される第一のシートの矩形領域が開かれた状態を示すパーティションの略斜視図である。
【図６】図６は、本考案の他の好ましい実施態様にかかるパーティションの略斜視図である。
【図７】図７は、図６に示された実施態様にかかるパーティションの変形防止部材を示す図面である。
【図８】図８（ａ）は、本考案のさらに他の好ましい実施態様にかかるパーティションの略斜視図であり、図８（ｂ）は、支持部材の構造を示す略斜視図である。
【図９】図９は、本考案のさらに他の好ましい実施態様にかかるパーティションの第一のシートが平面状に広げられた状態を示す図面である。
【図１０】図１０は、図９に示された実施態様にかかる第一のシートに８本の第一の棒状部材が取付けられた状態を示す図面である。
【図１１】図１１は、図９に示された実施態様にかかる第一のシートおよび第二のシートが連結される様子を示す略斜視図である。
【図１２】図１２（ａ）は、図９に示された実施態様にかかるパーティションの平面図であり、図１２（ｂ）は、パーティションの底面図である。
【図１３】図１３は、図９に示された実施態様にかかるパーティションの略斜視図である。
【図１４】図１４は、図９に示されたＸ−Ｘ線に沿った左側の帯の近傍の模式的水平断面図である。
【図１５】図１５は、図９に示された実施態様にかかる第一のシートの矩形領域６左部の下側の折り返し部１０２の近傍を示す図面である。
【図１６】図１６は、図９に示された実施態様にかかる第一の棒状部材が取付けられた第一のシート２が自立した状態を示す略斜視図である。
【図１７】図１７は、図９のＺ−Ｚ線に沿った上側の折り返し部の近傍の模式的縦断面図である。
【図１８】図１８は、図９に示された実施態様にかかる上縁骨格部材の組み立て方を示す図面である。
【図１９】図１９は、図９に示された実施態様において、扉として使用される第一のシートの矩形領域が開かれた状態を示すパーティションの略斜視図である。
【図２０】図２０は、図９に示された実施態様において、避難所の床に複数の上縁骨格部材が並べられた状態を示す模式的平面図である。
【考案を実施するための形態】
【００２６】
以下、添付図面に基づいて、本考案の好ましい実施態様につき、詳細に説明を加える。
【００２７】
図１は、本考案の好ましい実施態様にかかるパーティション１の略斜視図である。
【００２８】
図１に示されるように、パーティション１は、平面視において、略矩形に折り曲げられた第一のシート２と、第一のシート２の内側の面に取り付けられた計１６本の棒状の第一の棒状部材（図１には第一の棒状部材３４ないし３８および４１のみ図示）を備えている。
【００２９】
本実施態様にかかるパーティション１は、組み立て式に構成されており、災害などが発生したときに組み立てられ、避難所の略水平な床（設置面）上に設置されるものである。そして、組み立ての際に、第一のシート２の内側の面に、第一の棒状部材が取り付けられ、第一のシート２が、床に対して略垂直に起立され、平面視略矩形に折り曲げられることによって、その内側に間仕切り空間９を形成可能に構成されている。したがって、間仕切り空間９内に滞在する利用者のプライバシーが確保される。第一のシート２はポリエチレンシートによって形成されており、幅（水平方向の長さ）８４０ｃｍ、高さ１８０ｃｍに構成されている。なお、図１に示されるように、本明細書においては、特に断りがない限り、平面視略矩形に折り曲げられた（配置された）第一のシート２を基準にして、間仕切り空間９の側を「内側」といい、その反対側を「外側」という。
【００３０】
まず、以下に、図２および図３を用いて、第一のシート２について、詳細に説明を加える。
【００３１】
図２は、第一のシート２が平面状に広げられた状態を示す図面であり、図３は、第一のシート２に１６本の第一の棒状部材が取り付けられた状態を示す図面である。
【００３２】
図２および図３には、第一のシート２の内側の面（図１において間仕切り空間９に対向する面）が示されている。
【００３３】
図２および図３に示されるように、第一のシート２は、平面状に広げられた状態で略矩形をなすシートであり、図２に示されるように、幅方向に並ぶ８つの矩形の領域（以下、「矩形領域」という。）５ないし８および２５ないし２８を備え、各矩形領域５ないし８および２５ないし２８は、略同一の幅および高さに構成されている。
【００３４】
８つの矩形領域５ないし８および２５ないし２８にはそれぞれ、第一の棒状部材を２本ずつ取付け可能に構成されており、図３に示されるように、各矩形領域５ないし８および２５ないし２８に２本の第一の棒状部材が取り付けられることによって、各矩形領域５ないし８および２５ないし２８を平面状にピンと張ることができる。
【００３５】
本実施態様においては、各矩形領域５ないし８および２５ないし２８のいずれかに取り付けられる図３に示された計１６本の第一の棒状部材３１ないし３８および４１ないし４８は同一の棒状部材であり、それぞれグラスファイバーによって形成され、図３に示されるように、第一のシート２に取り付けられていないときには略直線状をなし、第一のシート２に取り付けられたときには、曲線状に撓む（湾曲する）ように構成されている。
【００３６】
本実施態様にかかるパーティション１においては、以上のように構成された第一の棒状部材３１ないし３８および４１ないし４８を、以下のようにして、矩形領域５ないし８および２５ないし２８のいずれかに取り付けることができる。
【００３７】
図２および図３に示されるように、第一のシート２の隣り合う矩形領域同士の境目部分６８ないし７０および１１７ないし１２０の上端部にはそれぞれ、布１２３が固定されており、下端部にはそれぞれ、布１２４が固定されている。
【００３８】
一方、第一のシート２の左上端部と左下端部にはそれぞれ、布１２１または１２２が固定されており、第一のシート２の右上端部と右下端部にはそれぞれ、布１２５または１２６が固定されている。
【００３９】
これら各布１２１ないし１２６は、第一の棒状部材３１ないし３８および４１ないし４８を、第一のシート２の内側の面（間仕切り空間９に対向する面）に取付けるために設けられている。
【００４０】
図４は、第一のシート２の隣り合う矩形領域同士の境目部分６８ないし７０および１１７ないし１２０に固定された布１２１ないし１２６の近傍の部分拡大図である。
【００４１】
図４（ａ）、図４（ｂ）、図４（ｅ）および図４（ｆ）に示されるように、第一のシート２の四隅に設けられた略三角形状の布１２１，１２２，１２５および１２６はそれぞれ、略三角形状の布が左右方向に２つ折りにされた状態で、間隔の短い破線で示されたミシン目の位置で縫合されることによって形成されており、間隔の長い破線で示されたミシン目の位置で、第一のシート２に縫合されている。
【００４２】
その結果、各布１２１，１２２，１２５および１２６には、第一の棒状部材の上端部または下端部が挿入される単一のポケット１２７，１２８，１３３または１３４が形成されている。
【００４３】
一方、図４（ｃ）および図４（ｄ）に示されるように、第一のシート２の矩形領域の境目部分６８ないし７０および１１７ないし１２０に設けられた布１２３および１２４はそれぞれ、略矩形の布の一つの角部が、その対角に位置する角部の方に折り返された状態で、間隔の短い破線で示されたミシン目の位置で縫合されることによって形成されており、間隔の長い破線で示されたミシン目の位置で、第一のシート２に縫合されている。
【００４４】
その結果、布１２３および１２４には、第一の棒状部材の上端部または下端部が挿入される２つのポケット１２９および１３１または１３０および１３２が形成されている。
【００４５】
図２に示される矩形領域５に、図３に示される２本の第一の棒状部材３１および３２が取り付けられるときには、まず、第一の棒状部材３１の上部が、矩形領域５の左上部に設けられた布１２１のポケット１２７（図４（ａ）参照）に挿入され、その下部が、矩形領域５の右下部に設けられた布１２４のポケット１３０（図４（ｄ）参照）に挿入されることによって、第一の棒状部材３１が矩形領域５に取り付けられる。
【００４６】
次いで、第一の棒状部材３２の上部が、矩形領域５の右上部に設けられた布１２３のポケット１２９（図４（ｃ）参照）に挿入され、その下部が、矩形領域５の左下部に設けられた布１２２のポケット１２８（図４（ｄ）参照）に挿入されることによって、第一の棒状部材３２が矩形領域５に取り付けられる。
【００４７】
さらに、図２に示される矩形領域６に、図３に示される２本の第一の棒状部材３３および３４が取り付けられるときには、まず、第一の棒状部材３３の上部が、矩形領域６の左上部の布１２３のポケット１３１（図４（ｃ）参照）に挿入され、その下部が、矩形領域６の右下部に設けられた布１２４のポケット１３０（図４（ｄ）参照）に挿入されることによって、第一の棒状部材３３が矩形領域６に取り付けられる。
【００４８】
次いで、第一の棒状部材３４の上部が、矩形領域６の右上部に設けられた布１２３のポケット１２９（図４（ｃ）参照）に挿入され、その下部が、矩形領域６の左下部に設けられた布１２４のポケット１３２（図４（ｄ）参照）に挿入されることによって、第一の棒状部材３４が矩形領域６に取り付けられる。
【００４９】
さらに、同様にして、２本の第一の棒状部材３５，３６が矩形領域７に、２本の第一の棒状部材３７，３８が矩形領域８に、２本の第一の棒状部材４１，４２が矩形領域２５に、２本の第一の棒状部材４３，４４が矩形領域２６に、２本の第一の棒状部材４５，４６が矩形領域２７にそれぞれ、取り付けられる。
【００５０】
また、図２に示される矩形領域２８に、図３に示される２本の第一の棒状部材４７および４８が取り付けられるときには、まず、第一の棒状部材４７の上部が、矩形領域２８の左上部の布１２３のポケット１３１（図４（ｃ）参照）に挿入され、その下部が、矩形領域２８の右下部に設けられた布１２６のポケット１３４（図４（ｆ）参照）に挿入されることによって、第一の棒状部材４７が矩形領域２８に取り付けられる。
【００５１】
次いで、第一の棒状部材４８の上部が、矩形領域２８の右上部に設けられた布１２５のポケット１３３（図４（ｅ）参照）に挿入され、その下部が、矩形領域２８の左下部に設けられた布１２４のポケット１３２（図４（ｄ）参照）に挿入されることによって、第一の棒状部材４８が矩形領域２８に取り付けられる。
【００５２】
以上のようにして、避難所の作業者によって、第一のシート２の各矩形領域５ないし８および２５ないし２８に、第一の棒状部材３１ないし３８および４１ないし４８が２本ずつ取付けられると、図３に示されるように、各矩形領域５ないし８および２５ないし２８において、２本の第一の棒状部材が交差した状態となる。
【００５３】
また、本実施態様においては、グラスファイバーによって形成された各第一の棒状部材３１ないし３８および４１ないし４８は、略矩形をなす各矩形領域５ないしおよび２５ないし２８の対角線の長さよりも長く構成されており、その結果、各矩形領域５ないしおよび２５ないし２８に、撓んだ（湾曲した）状態で、取り付けられる。
【００５４】
このように構成することによって、第一の棒状部材３１ないし３８および４１ないし４８が撓んだ状態から直線状をなす形状に戻ろうとする力、すなわち反発力を利用して、各矩形領域５ないしおよび２５ないし２８を平面状にピンと張ることができるから、平面視ジグザグ（つづら折り）の状態（隣り合う矩形領域同士に角度を付けた状態）で床（設置面）に略垂直に設置されると、第一のシート２は、屏風のように安定して自立することができる。
【００５５】
したがって、図１に示されるように、間仕切り空間９を形成するように第一のシート２を配置しなくても、屏風のように、避難所などの空間を簡易的に間仕切りすることも可能である（別実施態様ではあるが、図１６参照）。
【００５６】
さらに、図３に示されるように、各矩形領域５ないし８および２５ないし２８に取り付けられる２本の第一の棒状部材のうちの１本（たとえば第一の棒状部材３３）の両端部が、各矩形領域５ないし８および２５ないし２８の四隅のうち、対角に位置する二隅（たとえば矩形領域６の左上と右下の二隅）を結ぶように矩形領域に取り付けられ、２本の第一の棒状部材のうちの他の１本（たとえば第一の棒状部材３４）の両端部が、各矩形領域５ないし８および２５ないし２８の四隅のうち、対角に位置する残る二隅（たとえば矩形領域６の右上と左下の二隅）を結ぶように矩形領域に取り付けられるから、２本の第一の棒状部材によって、第一のシート２の各矩形領域５ないし８および２５ないし２８（たとえば矩形領域６）を、四隅に至るまで略平面状にピンと張ることができる。
【００５７】
一方、図２および図３に示されるように、第一のシート２の左端部には、上下方向に並ぶ３つの面ファスナ２１が設けられており、第一のシート２の右端部には、上下方向に並ぶ３つの面ファスナー２２が設けられている。３つの面ファスナ２１と、３つの面ファスナー２２とは、互いに同一の高さ位置に構成されている。
【００５８】
したがって、避難所の作業者は、図１に示されるように、第一の棒状部材３１ないし３８および４１ないし４８が取り付けられた面を内側にした状態で、矩形領域６および７が、矩形領域２７および２６に略平行で、矩形領域５および２８が、矩形領域８および２５に略平行となるように、第一のシート２を平面視略矩形に配置した後に、３つの面ファスナー２１と、３つの面ファスナー２２とを貼着することによって、矩形領域５の左端部と矩形領域２８の右端部とを繋ぎ合わせ、第一のシート２の内側に滞在する利用者（避難者）のプライバシーを確保するための間仕切り空間９（図１参照）を形成することができる。なお、本明細書におけるすべての実施態様においては、すべての面ファスナーが、フックとループが混在するタイプのものである。
【００５９】
以上のようにして組み立てられる本実施態様にかかるパーティション１においては、内部（内側）に形成された間仕切り空間９へ出入りする際には、第一のシート２の矩形領域５が扉として使用されるように構成されている。
【００６０】
図５は、扉として使用される第一のシート２の矩形領域５が開かれた状態を示すパーティション１の略斜視図である。
【００６１】
利用者がパーティション１の内側の間仕切り空間９へ出入りする際には、面ファスナー２１と、面ファスナー２１に対向する面ファスナー２２が利用者によって剥離され、図５に示されるように、矩形領域５が、矩形領域６との間の境目部分６８を中心に揺動され、開閉される。
【００６２】
本実施態様によれば、本考案のシート状の間仕切り部材にあたる第一のシート２の各矩形領域５ないし８および２５ないし２８に取り付けられる２本の第一の棒状部材の両端部がそれぞれ、図３に示されるように、各矩形領域５ないし８および２５ないし２８の対角に位置する二隅を結ぶように取り付けられるから、２本の第一の棒状部材によって、第一のシート２の各矩形領域５ないし８および２５ないし２８を、四隅に至るまで、略平面状にピンと張ることができる。
【００６３】
また、本実施態様によれば、このようにして、第一のシート２の各矩形領域５ないし８および２５ないし２８を平面状にピンと張ることが可能であるから、第一のシート２の隣接する矩形領域同士に平面視で角度をつけて、床に対して第一のシート２を略垂直に自立させることができ、特許文献２に記載されたパーティションのように、棒状部材を支持する支持部材を別途設けて、または、棒状部材を、安定して自立可能な程度に太く構成する必要がなく、したがって、パーティション１を軽量に製作することができる。
【００６４】
さらに、本実施態様によれば、各矩形領域５ないし８および２５ないし２８の対角に位置する二隅を結ぶように第一の棒状部材を取り付け、隣接する矩形領域同士に平面視で角度をつけて設置することによって、パーティション１として自立させることができるから、第一のシート２と床（設置面）との間にパーティションの部材を別途配置する必要がなく、第一のシート２の下辺を床に当接させることができ、したがって、利用者のプライバシーを確保することができる。
【００６５】
さらに、本実施態様によれば、第一のシート２の各矩形領域５ないし８および２５ないし２８に取り付けられる２本の第一の棒状部材が、ポケット１２７ないし１３３の形状によって、図３に示されるように、各矩形領域５ないし８および２５ないし２８の高さ方向中央よりも下方で互いに交差するから、第一のシート２の下部が、風によって振れることを抑制することができる。
【００６６】
また、本実施態様によれば、第一のシート２の各矩形領域５ないし８および２５ないし２８に取り付けられる２本の第一の棒状部材がそれぞれ、撓んだ状態で各矩形領域５ないし８および２５ないし２８に取り付けられるから、グラスファイバーによって形成された各第一の棒状部材の反発力を利用して、第一のシート２の各矩形領域５ないし８および２５ないし２８を、軽量ながらも、平面状に、より一層ピンと張ることができる。
【００６７】
図６は、本考案の他の好ましい実施態様にかかるパーティション１の略斜視図である。
【００６８】
また、図７は、図６に示された実施態様にかかるパーティション１の変形防止部材を示す図面であり、図７（ａ）は、変形防止部材の位置を示す模式的平面図であり、図７（ｂ）は、第一のシート２内側下縁の隅に近接する床に取り付けられた変形防止部材の近傍を内側から見た略斜視図であり、図７（ｃ）は、第一のシート２下縁の右端部に近接する床に取り付けられた変形防止部材の近傍を内側から見た略斜視図である。なお、図７（ａ）においては、第一の棒状部材３１ないし３８および４１ないし４８ならびに布１２１ないし１２６は便宜上省略されている。
【００６９】
前記実施態様にかかるパーティション１においては、作業者によって、上述のように、ポリエチレンシートによって形成された第一のシート２に、グラスファイバーによって形成された第一の棒状部材が取り付けられ、床（設置面）に対して略垂直に起立されるため、非常に軽量な上に、パーティション１の外側を行き来する人からの視線を遮るように、高さがある。そのため、図１に示される状態では、強い風が避難所内に吹き込んだり、人や物が、図１に示されたパーティション１に接触した場合には、平面視において略矩形に配置された第一のシート２の下縁が変形してしまう恐れがある。また、扉として用いられる矩形領域５が開かれた状態では、矩形領域２８の右上部（図２および図３における矩形領域２８の右上部）が、図１に示される外方向または内方向に振られるおそれがある。
【００７０】
このような状況に照らして、本実施態様においては、図７（ａ）に示されるように、平面視で略矩形に配置された第一のシート２内側下縁の四隅に近接する床（避難所の設置面）４か所と、第一のシート２下縁の右部（矩形領域２８における矩形領域２７と反対側の部分であり、図２および図３における図面右側の部分）に近接する床に、図７（ａ）または図７（ｂ）に示される略直方体状をなす変形防止部材１３６または１３７が、両面テープで取り付けられることによって、第一のシート２の下縁の変形を防止可能に構成されている。
【００７１】
また、本実施態様においては、図７（ａ）に示される２つの変形防止部材１３７には、図７（ｃ）に示されるように、紐１３８が固定されており、その近傍を延びる第一の棒状部材４７または３４に、作業者によって紐１３８が結び付けられることにより、第一のシート２の矩形領域６および矩形領域２８の変形や移動を防止可能に構成されている。
【００７２】
さらに、本実施態様においては、図６および図７（ａ）に示されるように、矩形領域２８の上縁右側の端部（図２および図３における図面右側の端部であり、矩形領域５の側の端部）と、境目部分６８の上部とにわたって、上縁変形防止棒状部材４９が架けられることによって、矩形領域２８の上縁および矩形領域６の上縁の変形を防止可能に構成されている。
【００７３】
具体的には、図２に示される矩形領域２８の右上部に位置する布１２５と、図１ないし図３に示される矩形領域６の左上部（図２に示された矩形領域６における左上部であって、矩形領域５に近接する側の上部）に設けられた布１２３にはそれぞれ、面ファスナー（図示せず）が取り付けられており、上縁変形防止棒状部材４９の両端部にもそれぞれ、面ファスナー（図示せず）が取り付けられている。
【００７４】
したがって、作業者は、上縁変形防止棒状部材４９の両端部の面ファスナーを、矩形領域２８の右上部に位置する布１２５と、矩形領域６の左上部に設けられた布１２３にそれぞれ設けられた面ファスナーに取付けることによって、矩形領域２８の上縁右側の端部と、境目部分６８の上部とにわたって上縁変形防止棒状部材４９を架け渡し、矩形領域２８の上縁および矩形領域６の上縁の変形を防止することができる。なお、本実施態様においては、上縁変形防止棒状部材４９は、グラスファイバーで構成された棒状部材の周りを、布で覆うことによって形成されている。
【００７５】
本実施態様によれば、第一のシート２の幅方向両端部が、面ファスナー２１および２２を用いて互いに連結されて形成された間仕切り空間９内下部の四隅（角部）に設けられた変形防止部材１３６，１３７によって、第一のシート２の下縁の変形を防止することができるから、風が吹いたり、人や物が間仕切り部材に接触した場合に、第一のシート２の下縁の変形を防止することができる。
【００７６】
図８（ａ）は、本考案のさらに他の好ましい実施態様にかかるパーティション１の略斜視図であり、図８（ｂ）は、支持部材の構造を示す略斜視図である。
【００７７】
図８（ａ）に示されるように、本実施態様においては、パーティション１は、第一のシート２と、第一のシート２の各矩形領域５ないし８および２５ないし２８の後面に取り付けられる第一の棒状部材３１ないし３８および４１ないし４８と、第一のシート２を略垂直に起立させた状態で支持（保持）し、側面視（図８（ｂ）において矢印Ｐの方向から見た場合）において略Ｌ字状をなす５つの支持部材１１１と、支持部材１１１の下部の上に載置される重石１１６を備えている。
【００７８】
第一のシート２は、図８に示されるように、平面視において略直線状に配置されるため、四方を第一のシート２に囲まれた間仕切り空間９（図１参照）は形成されない。すなわち、前記実施態様のように、隣り合う矩形領域同士に平面視で角度が付いていないため、屏風を平面視略直線状に配置した場合と同様に、安定して自立させることが困難である。
【００７９】
したがって、本実施態様においては、第一の棒状部材３１ないし３８および４１ないし４８が取り付けられた第一のシート２に、略Ｌ字状をなす支持部材１１１が取付けられ、さらに支持部材１１１の下部に重石１１６が載置されることによって、平面視略直線状に配置された第一のシート２を略垂直に起立させた状態で安定的に支持可能に構成されている。
【００８０】
本実施態様においては、支持部材１１１は、第一のシート２の左端部および右端部と、矩形領域の３か所の境目部分６９，１１７，１１９の計５か所に取付けられる。５つの支持部材１１１はそれぞれ、床（設置面）に載置されるベース１１５と、ベース１１５に接続され、第一のシート２に取り付けられる支柱１１４を備え、第一のシート２の左端部および右端部に取り付けられる２つの支持部材１１１はそれぞれ、ベース１１５および支柱１１４に加えて、図８（ｂ）に示されるように、その内部に下方から支柱１１４を挿入され、支柱１１４を覆う筒状シート１１２を備えている。
【００８１】
筒状シート１１２は、一方の面に、上下方向に並ぶ３つの面ファスナー１１３を備え、この面ファスナー１１３が、第一のシート２の面ファスナー２１または２２（図２参照）に貼着されることによって、第一のシート２の左右の端部にそれぞれ、支持部材１１１が取り付けられる。
【００８２】
一方、本実施態様においては、第一のシート２に設けられた布１２１ないし１２６（前記実施態様の図２および図３も参照）にそれぞれ、図８（ａ）の吹き出し内に示されるように、左方または右方に延びる左右一対のベルト５５，５６が設けられており、２枚のベルト５５，５６にはそれぞれ、面ファスナー（図示せず）が取り付けられている。
【００８３】
３つの支持部材１１１が矩形領域の３か所の境目部分６９，１１７，１１９に取り付けられる際には、布１２３に設けられた一対のベルト５５，５６が左右から支柱１１４の上部に巻き付けられ、布１２４に設けられた一対のベルト５５，５６が左右からベース１１５に巻き付けられることによって、一対のベルト５５，５６に設けられた面ファスナー同士が貼着し、各境目部分６９，１１７，１１９に支持部材１１１が取り付けられる。
【００８４】
なお、本実施態様においては、支持部材１１１の下部（ベース１１５）の上に載置される重石１１６は、土嚢によって構成されている。
【００８５】
本実施態様によれば、パーティション１は、第一のシート２を略垂直に起立させた状態で保持する支持部材１１１を備えているから、第一のシート２の隣り合う矩形領域を、平面視で角度を付けて配置する必要がなく、第一のシート２を平面視で略直線状に配置することができる。
【００８６】
図９は、本考案のさらに他の好ましい実施態様にかかるパーティション１の第一のシート２が平面状に広げられた状態を示す図面であり、図１０は、図９に示された実施態様にかかる第一のシート２に８本の第一の棒状部材３１ないし３８が取付けられた状態を示す図面である。
【００８７】
本実施態様にかかるパーティション１においては、図９に示されている第一のシート２と、第一のシート２と同一に構成された第二のシート３（図９および図１０には図示せず）とが連結されることによって、間仕切り空間９を形成するように構成され、さらに、連結された第一のシート２と第二のシート３の上縁に上縁骨格部材が、下縁に下縁骨格部材がそれぞれ取付けられることによって、風などによる第一のシート２および第二のシート３の変形を防止可能に構成されている。
【００８８】
第一のシート２は、本実施態様においては４２０ｃｍ×１７４ｃｍの矩形状のシートであり、図９および図１０に示されるように、幅方向に、同一の幅および高さを有する４つの矩形領域５、６、７、８が形成されている。
【００８９】
パーティション１が組み立てられる際には、まず、図１０に示されるように、第一のシート２の矩形領域５の一方の面（間仕切り空間９に対向する面）に、２本の第一の棒状部材３１および３２が取付けられ、矩形領域６の一方の面に、２本の第一の棒状部材３３および３４が取付けられる。さらに、矩形領域７の一方の面には２本の第一の棒状部材３５および３６が取付けられ、矩形領域８の一方の面には２本の第一の棒状部材３７および３８が取付けられる（ステップ１）。
【００９０】
図１１は、図９に示された実施態様にかかる第一のシート２および第二のシート３が連結される様子を示す略斜視図である。
【００９１】
また、図１２（ａ）は、図９に示された実施態様にかかるパーティション１の平面図であり、図１２（ｂ）は、図９に示された実施態様にかかるパーティション１の底面図であり、図１３は、図９に示された実施態様にかかるパーティション１の略斜視図である。
【００９２】
次いで、図１１に示されるように、第一のシート２の各矩形領域５ないし８がそれぞれ床に対して略垂直となるように第一のシート２が起立される（ステップ２）。
【００９３】
第一のシート２が起立されると、同様にして、第一のシート２と同一に構成された第二のシート３の各矩形領域２５ないし２８に、第一の棒状部材が２本ずつ取付けられ、第二のシート３が起立される（ステップ３）。なお、矩形領域２５ないし２８は、第一のシート２の矩形領域５ないし８に対応する。
【００９４】
こうして、第一のシート２および第二のシート３が起立されると、上縁骨格部材５７が略矩形に組み立てられて、図１１に示されるように、第一のシート２の矩形領域６および７の内側の面の上縁に、上縁骨格部材５７の一辺（後に詳述する第三の棒状部材５８）が取付けられる（ステップ４）。
【００９５】
このとき、矩形領域６および７の上縁に取付けられた上縁骨格部材５７の一辺に平行な一辺（第三の棒状部材５８）は、床（設置面）に当接している。
【００９６】
次いで、図１１に示されるように、第一のシート２と第二のシート３が互いに連結される（ステップ５）。
【００９７】
具体的には、第一のシート２の左側（図９および図１１０における図面左側）の縁に設けられた３つの面ファスナー２１に、第二のシート３の右側（図９および図１０における図面右側）の縁に設けられた３つの面ファスナー２２が係合され、第一のシート２の右側の縁に設けられた３つの面ファスナー２２に、第二のシート３の左側の縁に設けられた３つの面ファスナー２１が係合される。その結果、図１３に示されるように、互いに連結された第一のシート２および第二のシート３に四方を囲まれた間仕切り空間９が形成される。このとき、第一の棒状部材３１ないし３８が取り付けられた第一のシート２および第二のシート３の内側の面がそれぞれ、間仕切り空間９に対向する。
【００９８】
このようにして、第一のシート２と第二のシート３が連結されると、床に当接している上縁骨格部材５７の一辺（第三の棒状部材５８）が持ち上げられ、第二のシート３の矩形領域２６および２７の上縁内側に取付けられる（ステップ６）。
【００９９】
次いで、略矩形をなす上縁骨格部材５７の残りの２辺（第三の棒状部材５８）が、互いに連結された第一のシート２および第二のシート３の矩形領域８および２５の上縁内側と、矩形領域５および２８の上縁内側にそれぞれ取り付けられる（ステップ７）。
【０１００】
このとき、互いに連結された第一のシート２および第二のシート３の上縁内側に、略矩形をなす上縁骨格部材５７が取付けられることによって、図１２（ａ）に示されるように、平面視において、第一のシート２および第二のシート３はそれぞれ略「コ」の字状をなし、併せて略矩形状をなしている。
【０１０１】
最後に、図１２（ｂ）に示されるように、第一のシート２と第二のシート３の下縁内側に、下縁骨格部材６６が取り付けられる（ステップ８）。
【０１０２】
以上のようにして組み立てられるパーティション１の第一のシート２、第二のシート３、第一の棒状部材３１ないし３８、上縁骨格部材５７および下縁骨格部材６６は、詳細には以下のように構成されている。
【０１０３】
図９および図１０に示されるように、第一のシート２の上下左右の縁はそれぞれ、２つ折りに折り返された状態で縫合されている。
【０１０４】
具体的には、上側の折り返し部１００はミシン目９０の位置で、下側の折り返し部１０２はミシン目７２ないし７６の位置で、左側の折り返し部１０１はミシン目９１および９２の位置で、右側の折り返し部１０３はミシン目９３および９４の位置でそれぞれ、縫合されている。なお、図９および図１０には、第一のシート２に形成されたすべてのミシン目が破線で示されている。
【０１０５】
本実施態様においては、矩形領域５ないし８のいずれかに取付けられる計８本の第一の棒状部材３１ないし３８は同一の棒状部材であり、それぞれ、グラスファイバーによって形成され、図１０に示されるように、第一のシート２に取付けられていないときには略直線状をなし、第一のシート２に取付けられたときには、曲線状にしなる（撓む）ように構成されている。
【０１０６】
なお、図９および図１０においては、各第一の棒状部材３１ないし３８の（後に詳述する）左筒部１７、８１および８４と右筒部１８、８２および８５内に位置する部分と、左側の折り返し部１０１および右側の折り返し部１０３によって隠れる部分はそれぞれ、二点鎖線で示されている。
【０１０７】
図９および図１０に示されるように、第一のシート２の矩形領域５と矩形領域６との間の境目部分６８と、矩形領域６と矩形領域７との間の境目部分６９と、矩形領域７と矩形領域８との間の境目部分７０にはそれぞれ、帯１９、２９または３９が設けられている。本実施態様においては、帯１９、２９および３９によって、６本の第一の棒状部材３２ないし３７の上部をそれぞれ、第一のシート２に取付け可能に構成されている。
【０１０８】
図１４は、図９に示されたＸ−Ｘ線に沿った左側の帯１９の近傍の模式的水平断面図である。
【０１０９】
本実施態様においては、図９および図１４に示されるように、境目部分６８と、帯１９の左右方向（幅方向）中央部の位置が重なるように、帯１９が第一のシート２に取付けられている。
【０１１０】
具体的には、帯１９は、左右の端部および左右方向中央部の計３か所において、ミシン目が上下方向（図９に示される高さ方向）に延びるように第一のシート２に縫合されている。
【０１１１】
ここに、図１４に示されるように、帯１９は、波状をなす状態で第一のシート２に縫合されており、その結果、帯１９と第一のシート２との間に、高さ方向に延びる左筒部１７および右筒部１８が形成されている。
【０１１２】
したがって、避難所の作業者は、第一の棒状部材３２の一方の端部を、左筒部１７に挿入することによって、略矩形をなす矩形領域５の右辺上部に沿うように、第一の棒状部材３２の上部を矩形領域５に取付けし、第一の棒状部材３３の一方の端部を、右筒部１８に挿入することによって、矩形領域６の左辺上部に沿うように、第一の棒状部材３３の上部を矩形領域６に取付けすることができる。
【０１１３】
一方、他の境目部分６９および７０にもそれぞれ、帯２９または３９が波状をなす状態で第一のシート２に縫い付けられた結果、図９および図１０に示されるように、境目部分６９の左右に左筒部８１および右筒部８２が、境目部分７０の左右に左筒部８４および右筒部８５がそれぞれ形成されている。
【０１１４】
したがって、作業者は、第一の棒状部材３４の一方の端部を、左筒部８１に挿入することによって、第一の棒状部材３４の上部を、略矩形をなす矩形領域６の右辺上部に沿うように、矩形領域６に取付けし、第一の棒状部材３５の一方の端部を、右筒部８２に挿入することによって、第一の棒状部材３５の上部を、略矩形をなす矩形領域７の左辺上部に沿うように、矩形領域７に取付けすることができる。
【０１１５】
さらに、同様にして、作業者は、第一の棒状部材３６の一方の端部を、左筒部８４に挿入することによって、第一の棒状部材３６の上部を、矩形領域７の右辺上部に沿うように、矩形領域７に取付けし、第一の棒状部材３７の一方の端部を、右筒部８５に挿入することによって、第一の棒状部材３７を、矩形領域８の左辺上部に沿うように、矩形領域８に取付けすることができる。
【０１１６】
図９および図１０にミシン目９０として示されるように、帯１９、２９および３９の上端部は、折り返された第一のシート２の上端部とともに縫合されており、各第一の棒状部材３２ないし３７の上端部が、左筒部１７、８１および８４または右筒部１８、８２および８５の上端部から突出するという事態が防止されている。
【０１１７】
一方、図９および図１０に示されるように、第一のシート２の左側の折り返し部１０１の上部は、ミシン目９１によって右側の縁が閉じられており、その結果、高さ方向に延びる筒状の左端筒部１０９が内部に形成されている。さらに、ミシン目９１とミシン目９２の間には、縫合されていない間隙２３が設けられている。
【０１１８】
したがって、作業者は、図１０に示されるように、第一の棒状部材３１の一方の端部を、間隙２３から、左端筒部１０９に挿入することによって、第一の棒状部材３１の上部を、矩形領域５の左辺上部に沿うように、矩形領域５に取付けることができる。
【０１１９】
一方、第一のシート２の右側の折り返し部１０３の上部も、同様に、ミシン目９３によって、左側の縁が閉じられており（右側の折り返し部１０３の上部が、対向する第一のシート２の部分に縫合されており）、その結果、高さ方向に延びる筒状の右端筒部１１０が内部に形成されている。さらに、ミシン目９３とミシン目９４の間には、縫合されていない間隙２４が設けられている。
【０１２０】
したがって、作業者は、図１０に示されるように、第一の棒状部材３８の一方の端部を、間隙２４から、右端筒部１１０に挿入することによって、矩形領域８の右辺上部に沿うように、第一の棒状部材３８の上部を、矩形領域８に取付けることができる。
【０１２１】
以上のようにして、第一のシート２のいずれかの矩形領域５ないし８に、その上部が取付けられた第一の棒状部材３１ないし３８の下部を、作業者は、以下のようにして、上部が取付けられた矩形領域と同一の矩形領域の下側の折り返し部１０２と、折り返されていない第一のシート２の部分（下側の折り返し部１０２に対向する第一のシート２の部分）との間に挿入し、取付けることができる。なお、図１０においては、便宜上、下側の折り返し部１０２によって隠れるべき第一の棒状部材３１ないし３８の部分についても実線で示されている。
【０１２２】
図１５は、図９に示された実施態様にかかる第一のシート２の矩形領域６左部の下側の折り返し部１０２の近傍を示す図面であり、図１５（ａ）は、矩形領域６左部の下側の折り返し部１０２の近傍に、第一の棒状部材３４を取付ける方法を示す説明図であり、図１５（ｂ）は、矩形領域６の下側の折り返し部１０２の近傍に、第一の棒状部材３３および３４が取付けられた状態を示す部分拡大斜視図である。
【０１２３】
なお、図１５（ａ）においては、後に詳述する取付けベルト１０（図１５（ｂ）に図示）は便宜上省略されている。
【０１２４】
図１０、図１５（ａ）および図１５（ｂ）に示されるように、矩形領域６内の下側の折り返し部１０２においては、その左上部（境目部分６８の右方近傍の上部）が、第一のシート２の折り返されていない部分（折り返し部１０２に対向する第一のシート２の部分）に縫合されている。
【０１２５】
その結果、図１５（ａ）の吹き出し内において、Ｙ−Ｙ線に沿った模式的縦断面図として示されるように、ミシン目７３の下方に、幅方向に延びる筒状の下筒部３９が形成されている。
【０１２６】
さらに、図１０に示されるように、破線で示されたミシン目７３とミシン目７４との間には、第一のシート２の幅方向に、縫合されていない間隙が設けられている。
【０１２７】
したがって、作業者は、その上部が左筒部８１に挿入された第一の棒状部材３４の下部を、左方へ湾曲させた後に、図１５（ａ）に示されるように、下側の折り返し部１０２のミシン目が形成されていない間隙の部分から、下筒部３９に挿入することによって、矩形領域６の下辺左部に沿うように、第一の棒状部材３４の下部を、矩形領域６に取付けることができる。
【０１２８】
また、ミシン目７３として示されるように、矩形領域５の右下部においても、下側の折り返し部１０２の上部と、対向する第一のシート２の部分が縫合され、下筒部３９と同様の筒状の部分が形成されている。
【０１２９】
さらに、図１０において、境目部分６９および７０のそれぞれから、左右方向に延びるミシン目７４および７５として示されるように、下側の折り返し部１０２の上端部が、下側の折り返し部１０２に対向する第一のシート２の部分に部分的に縫合されている。その結果、ミシン目７４および７５の下方にもそれぞれ、下筒部３９と同様に、幅方向に延びる筒状の部分が形成されている。
【０１３０】
したがって、作業者は、第一の棒状部材３４の場合と同様にして、第一の棒状部材３１の下端部を、左側からミシン目７３の下方の筒部へ挿入し、第一の棒状部材３３および３６の下端部を、左右方向外側から、ミシン目７４の下方の筒部へ挿入し、第一の棒状部材３５および３８の下端部を、左右方向外側から、ミシン目７５の下方の筒部へ挿入することによって、第一の棒状部材３１、３３、３５、３６および３８の下部をそれぞれ、矩形領域５ないし８の下端部に取付けることができる。
【０１３１】
本実施態様においては、図１５（ａ）に示されるように、ミシン目７３は、矩形領域５と矩形領域６との間の境目部分６８から左右方向（幅方向）外側に延びるように形成されており、また、下側の折り返し部１０２の境目部分６８と重なる位置には、高さ方向に延びるミシン目７８が形成され、下筒部３９の左端部（吹き出し内の図面奥側の端部）がミシン目７８で閉じられている。
【０１３２】
同様に、図１０に破線で示されるように、下側の折り返し部１０２の他の境目部分６９および７０と重なる位置にもそれぞれ、高さ方向に延びるミシン目が形成されている。
【０１３３】
このように構成することによって、上述のようにして各矩形領域５ないし８に取付けられた第一の棒状部材３１、３３ないし３６および３８の下端部がそれぞれ、隣り合う矩形領域内に侵入することがない。
【０１３４】
また、図１０および図１４に示されるように、第一の棒状部材３２ないし３７の上部はそれぞれ、各境目部分６８ないし７０にかかる（跨る）ことなく、左右の筒部１７，１８，８１，８２，８４または８５のいずれか１つに挿入されている。
【０１３５】
したがって、第一の棒状部材３１ないし３８が取付けられた状態であっても、作業者は、第一のシート２を、図１６に示されるように、隣り合う矩形領域同士に角度をつけて配置し、または隣り合う矩形領域同士が当接するように折り畳むことができる。
【０１３６】
一方、図１０において、幅方向に延びるミシン目７２および７６として示されるように、下側の折り返し部１０２の左右両端部が、対向する第一のシート２の折り返されていない部分に縫合されている。その結果、吹き出し内に模式的縦断面図として示されるように、ミシン目７２および７６の下方にそれぞれ、第一のシート２の幅方向に延びる筒状の下筒部８８および８７が形成されている。
【０１３７】
したがって、作業者は、第一の棒状部材３２の下端部を、左方に湾曲させ、右側から、ミシン目７２の下方に形成された下筒部８８に挿入して、矩形領域５の下辺左部に沿うように、第一の棒状部材３２の下部を、矩形領域５に取付けることができる。
【０１３８】
また、作業者は、第一の棒状部材３７の下端部を、右方に湾曲させ、左側から、ミシン目７６の下方に形成された下筒部８７に挿入して、矩形領域８の下辺右部に沿うように、第一の棒状部材３７の下部を、矩形領域８に取付けることができる。
【０１３９】
本実施態様においては、第一のシート２は、下側の縁が上方に折り返された状態で、左右の縁が幅方向内側に折り返されたことによって、下側の折り返し部１０２および左右の折り返し部１０１および１０３が形成されている。
【０１４０】
したがって、ミシン目７２および７６の下方に形成された下筒部８８および８９に、第一のシート２の幅方向内側から挿入された第一の棒状部材３２および３７の下端部が、第一のシート２から幅方向外側へ突出することがなく、作業者は、第一の棒状部材３２および３７が取付けられた状態であっても、第一のシート２を安全に折り畳むことができる。
【０１４１】
なお、図１０および図１５（ｂ）に示されるように、各矩形領域５ないし８の下側の折り返し部１０２上縁の左右方向中央部にはそれぞれ、２つの面ファスナー１０６が設けられている。また、折り返されていない第一のシート２の部分であって、面ファスナー１０６に対向する部分にはそれぞれ、図１５（ｂ）に示されるように、面ファスナー１０７が設けられている。
【０１４２】
したがって、避難所の作業者は、各矩形領域５ないし８に、第一の棒状部材３１ないし３８を２本ずつ取付けた後に、下側の折り返し部１０２上端に設けられた各面ファスナー１０６を、対向する位置に設けられた面ファスナー１０７に係合させることによって、各矩形領域５ないし８の下側の折り返し部１０２の左右方向中央部が垂れる事態を防止することができる。
【０１４３】
なお、本実施態様においては、すべての面ファスナーが、フックとループが混在するタイプのものである。
【０１４４】
以上のようにして、作業者によって、各矩形領域５ないし８に第一の棒状部材３１ないし３８が２本ずつ取付けられると、図１０に示されるように、各矩形領域５ないし８において、各第一の棒状部材３１ないし３８の上部がそれぞれ、各矩形領域の左辺上部または右辺上部に沿うように湾曲し、各第一の棒状部材３１ないし３８の下部がそれぞれ、各矩形領域の下辺右部または下辺左部に沿うように湾曲し、２本の第一の棒状部材が互いに交差した状態となる。
【０１４５】
ここに、第一の棒状部材３１ないし３８は、図１０の図面下部に示されるように、元々直線状をなすグラスファイバーによって構成されており、第一の棒状部材３１ないし３８が、湾曲された形状から直線状をなす形状に戻ろうとする力、すなわち反発力を利用して、第一のシート２の各矩形領域５ないし８を、最小限の数の第一の棒状部材３１ないし３８で、平面状にピンと張ることができる。
【０１４６】
したがって、避難所の作業者は、各矩形領域５ないし８に第一の棒状部材３１ないし３８を２本ずつ取付けた後に、矩形領域同士に角度をつけて配置することによって、屏風のように、第一のシート２を自立させることができる。
【０１４７】
また、図１０に示されるように、各矩形領域５ないし８に取り付けられる２本の第一の棒状部材のうちの１本（たとえば第一の棒状部材３３）の両端部は、各矩形領域５ないし８の四隅のうち、対角に位置する二隅（たとえば矩形領域６の左上と右下の二隅）を結ぶように矩形領域に取り付けられ、２本の第一の棒状部材のうちの他の１本（たとえば第一の棒状部材３４）の両端部は、各矩形領域５ないし８の四隅のうち、対角に位置する残りの二隅（たとえば矩形領域６の右上と左下の二隅）を結ぶように矩形領域に取り付けられるから、２本の第一の棒状部材によって、第一のシート２の各矩形領域５ないし８（たとえば矩形領域６）を、四隅に至るまで略平面状にピンと張ることができる。
【０１４８】
図１６は、図９に示された実施態様にかかる第一の棒状部材３１ないし３８が取付けられた第一のシート２が自立した状態を示す略斜視図である。
【０１４９】
図１６に示されるように、隣り合う矩形領域同士に角度をつけて、例えば、平面視ジグザグ（つづら折り）の状態で設置されると、第一のシート２は、屏風のように安定して自立することができ、避難所などの空間を簡易的に間仕切りすることが可能である。
【０１５０】
図１７は、図９のＺ−Ｚ線に沿った上側の折り返し部１００の近傍の模式的縦断面図であり、図１７（ａ）は、第一のシート２に上縁骨格部材５７が取り付けられる前の状態を示す上側の折り返し部１００の近傍の模式的縦断面図であり、図１７（ｂ）は、第一のシート２に上縁骨格部材５７が取り付けられた状態を示す上側の折り返し部１００の近傍の模式的縦断面図である。
【０１５１】
図１０および図１７（ａ）にミシン目９０として示されるように、第一のシート２の上端部が内側（図１３において間仕切り空間９に対向する側）に折り返された状態で、上側の折り返し部１００の下部と、折り返されていない第一のシート２の部分（上側の折り返し部１００に対向する第一のシート２の部分）とが縫合され、その結果、筒状をなす上筒部４０（図１７（ａ）参照）が内部に形成されている。
【０１５２】
上筒部４０は、第一のシート２の幅方向に延び、各矩形領域５ないし８の上筒部４０内にそれぞれ、図１０に一点鎖線で示されるように、棒状をなす第二の棒状部材５３が取外し不能に挿入されている。換言すれば、第一のシート２の各矩形領域５ないし８の上縁部内部にそれぞれ、第二の棒状部材５３が１本ずつ設けられている。
【０１５３】
したがって、図１１、図１３および図１６に示されるように、第一のシート２の各矩形領域５ないし８が、計８本の第一の棒状部材３１ないし３８によって平面状にピンと張られ、第一のシート２が床に対して略垂直に自立した状態であっても、各矩形領域５ないし８の左右方向中央部の上縁が下方に垂れることがない。
【０１５４】
なお、図１０に示されるように、上筒部４０は、各境目部分６８ないし７０で、上下方向に延びるミシン目によって閉じられており、第二の棒状部材５３の左右の端部が、隣り合う矩形領域に侵入することがなく、したがって、第一のシート２が屏風のように矩形領域単位で折り畳まれるときに、第二の棒状部材５３がその妨げになる事態を防止することができる。
【０１５５】
また、本実施態様においては、第二の棒状部材５３および第一の棒状部材５３は、取付けベルト１０よりも外側に配置されているが、図９および図１０においては、第二の棒状部材５３および第一の棒状部材５３の全体を見易くするために、取付けベルト１０によって隠れるべき部分についても、隠さずに示されている。
【０１５６】
本実施態様においては、４本の第二の棒状部材５３はそれぞれ、グラスファイバーによって構成されており、軽量化が図られている。
【０１５７】
一方、図１１および図１３に示されるように、互いに同一に構成された第一のシート２と第二のシート３の矩形領域５および矩形領域２５にはそれぞれ、開閉可能な窓部４が形成されており、パーティション１の外側から、窓部４を通じて、間仕切り空間９内にいる利用者に食事を提供したり、利用者の状況を確認することができ、利便性が良い。
【０１５８】
本実施態様においては、窓部４は、矩形領域５および２５に形成された開口（図示せず）と、かかる開口よりも僅かに広く形成されたシート（図示せず）を備え、開口が、面ファスナーを用いて、シートで内側から覆われたり、あるいは開口を覆うシートが取り外されることによって、開閉可能に構成されている。
【０１５９】
以上のように構成された第一のシート２および第二のシート３の左右一方の縁部には３つの面ファスナー２１が、左右他方の縁部には３つの面ファスナー２２がそれぞれ、上下方向に並んだ状態で設けられ（図９および図１１参照）、３つの面ファスナー２１と、３つの面ファスナー２２とは、互いに同一の高さ位置に構成されている。
【０１６０】
したがって、避難所の作業者は、上述のように、第一のシート２の３つの面ファスナー２１に、第二のシート３の３つの面ファスナー２２を係合させ、第一のシート２の３つの面ファスナー２２に、第二のシート３の３つの面ファスナー２１を取付けることによって、第一のシート２と第二のシート３を互いに連結させ、その内側に、間仕切り空間９（図１２および図１３参照）を形成することができる。
【０１６１】
しかしながら、第一のシート２と第二のシート３は非常に軽量であるため、実際の避難所においては、施設の出入口から風が吹き込んだり、人や物が接触することによって、互いに連結された第一のシート２と第二のシート３の上縁と下縁が変形してしまうことがあった。
【０１６２】
このような状況に照らして、本実施態様においては、図９ないし図１３に示されるように、第一のシート２および第二のシート３の各矩形領域５ないし８ならびに２５ないし２８の上縁内側および下縁内側にそれぞれ、取付けベルト１０が２つずつ設けられている。
【０１６３】
そして、第一のシート２と第二のシート３が互いに連結される際に、これらの取付けベルト１０を用いて、第一のシート２および第二のシート３の上縁内側に、上縁骨格部材５７（図１２（ａ）参照）が取り付けられ、下縁内側に、下縁骨格部材６６（図１２（ｂ）参照）が取付けられることによって、第一のシート２および第二のシート３の上縁および下縁が変形してしまう事態を防止可能に構成されている。
【０１６４】
まず、以下に、上縁骨格部材５７および下縁骨格部材６６の構造と、上縁骨格部材５７および下縁骨格部材６６の各第三の棒状部材５８を第一のシート２および第二のシート３に取付ける方法について、詳細に説明を加える。
【０１６５】
図１８は、図９に示された実施態様にかかる上縁骨格部材５７の組み立て方を示す図面であり、図１８（ａ）は、上縁骨格部材５７が組み立てられる前の状態を示す略平面図である。
【０１６６】
上縁骨格部材５７は、図１８（ａ）に示されるように、４本の第三の棒状部材５８と、各第三の棒状部材５８の両端部に周方向に巻き付けられた面ファスナー６０と、４本の第三の棒状部材５８を矩形に連結するための４つの連結金具５１と、４本の第三の棒状部材５８を連結させた状態で保持する４つの保持部材５０を備えている。
【０１６７】
本実施態様においては、４本の第三の棒状部材５８は、グラスファイバーによって構成された中空部材であり、第一のシート２および第二のシート３に取付けられる第一の棒状部材３１ないし３８よりも太く構成され、軽量ながらも剛性を備えている。
【０１６８】
一方、図１８（ｂ）は、連結金具５１によって２本の第三の棒状部材５８が連結された状態を示す部分拡大図であり、図１８（ｃ）は、略矩形に連結された第三の棒状部材５８の角部に、保持部材５０が取付けられる様子を示す部分拡大図であり、図１８（ｄ）は、略矩形に連結された第三の棒状部材５８の角部に、保持部材５０が取付けられた状態を示す部分拡大図である。
【０１６９】
連結金具５１はＬ字状をなす棒状部材であり、その外径の大きさは、４本の第三の棒状部材５８の内径の大きさと略同一に構成されている。
【０１７０】
各保持部材５０は、図１８（ｃ）に示されるように、シート状をなす矩形の保持シート５２と、保持シートの４か所に取付けられた４つの面ファスナー６１ないし６４を備えている。
【０１７１】
上縁骨格部材５７が組み立てられる際には、まず、作業者によって、図１８（ａ）に矢印で示されるように、各連結金具５１の両方の端部が、各第三の棒状部材５８の中空部分に挿入されることによって、４本の第三の棒状部材５８が、平面視において略矩形に連結される。このとき、略矩形に連結された第三の棒状部材５８の４つの角部（四隅）はそれぞれ、図１８（ｂ）に示された状態となる。
【０１７２】
次いで、図１８（ｃ）に示されるように、作業者によって、略矩形に連結された第三の棒状部材５８の四隅にそれぞれ、保持部材５０が取付けられる。
【０１７３】
具体的には、まず、作業者によって、図１８（ｃ）に矢印付きの一点鎖線で示されるように、略矩形に連結された第三の棒状部材５８の四隅がそれぞれ、外側から保持部材５０で包み込まれるように、一方の第三の棒状部材５８に設けられた面ファスナー６０に面ファスナー６１が、他方の第三の棒状部材５８に設けられた面ファスナー６０に面ファスナー６２がそれぞれ係合される。
【０１７４】
次いで、作業者によって、各保持部材５０の面ファスナー６４と面ファスナー６３が係合され、第三の棒状部材５８の四隅が連結された状態で保持される（図１８（ｄ）参照）。
【０１７５】
以上のようにして、略矩形に組み立てられた上縁骨格部材５７の各第三の棒状部材５８を、避難所の作業者は、以下のようにして、第一のシート２および第二のシート３の各矩形領域５ないし８ならびに２５ないし２８の上縁内側に取付けることができる。
【０１７６】
第一のシート２および第二のシート３の各矩形領域５ないし８ならびに２５ないし２８の上縁内側に２つずつ設けられた各取付けベルト１０はすべて同一に構成されており、図１７（ａ）および図１７（ｂ）には、第一のシート２の矩形領域８の上縁に設けられた取付けベルト１０が示されている。
【０１７７】
各取付けベルト１０は、図１７（ａ）に示されるように、上方ベルト１１および下方ベルト１２を備え、上方ベルト１１は、その下面に面ファスナー１３を有し、下方ベルト１２は、その下面に面ファスナー１４を有している。
【０１７８】
各矩形領域５ないし８ならびに２５ないし２８の上縁内側に上縁骨格部材５７の第三の棒状部材５８が取付けられるときには、まず、作業者によって、第三の棒状部材５８に、下方から、取付けベルト１０の下方ベルト１２が巻き付けられる。
【０１７９】
次いで、第三の棒状部材５８および下方ベルト１２に、上方から、各取付けベルト１０の上方ベルト１１が巻き付けられることによって、図１７（ｂ）に示されるように、面ファスナー１３と面ファスナー１４が係合され、各矩形領域５ないし８ならびに２５ないし２８の上縁内側に、上縁骨格部材５７の第三の棒状部材５８が固定される。
【０１８０】
一方、下縁骨格部材６６は、３本の第三の棒状部材５８を備えているが、上縁骨格部材５７の場合と異なり、面ファスナー６０、連結金具５１および保持部材５０は備えていない。
【０１８１】
したがって、平面視（および底面視）において、併せて略矩形に連結された第一のシート２および第二のシート３の下縁４辺のうち、扉として使用される矩形領域５を含む一辺を除く他の３辺にそれぞれ、図１２（ｂ）に示されるように、下縁骨格部材６６の３本の第三の棒状部材５８が、別々に取付けられる。３本の第三の棒状部材５８が取付けられる３辺は、具体的には、矩形領域６および７の下縁と、矩形領域８および２５の下縁と、矩形領域２６および２７の下縁を指し、３本の第三の棒状部材５８が取付けされない一辺は、具体的には、矩形領域５および２８の下縁を指す。
【０１８２】
本実施態様においては、図１２、図９、図１５（ｂ）および図１６に示されるように、第一のシート２および第二のシート３の矩形領域６ないし８ならびに２５ないし２７の下縁にそれぞれ、上縁に設けられた取付けベルト１０と同一に構成された取付けベルト１９が２つずつ設けられている。
【０１８３】
したがって、作業者は、同様にして、取付けベルト１０を用いて、矩形領域６および７の下縁と、矩形領域８および２５の下縁と、矩形領域２６および２７の下縁にそれぞれ、下縁骨格部材６６の第三の棒状部材５８を取付けることができる。
【０１８４】
図１９は、図９に示された実施態様において、扉として使用される第一のシート２の矩形領域５が開かれた状態を示すパーティション１の略斜視図である。
【０１８５】
上述のように、本実施態様においては、矩形領域５が扉として用いられる。
【０１８６】
したがって、避難所の作業者または利用者が間仕切り空間９に出入りする際には、第一のシート２の面ファスナー２１（図９ないし図１３参照）と、この面ファスナー２１に対向する第二のシート３の面ファスナー２２（図１１および図１９参照）が着脱される。また、このとき、矩形領域５の上縁に設けられた取付けベルト１０も、対向する上縁骨格部材５７の第三の棒状部材５８から着脱される。
【０１８７】
図２０は、図９に示された実施態様において、避難所の床に複数の上縁骨格部材５７が並べられた状態を示す模式的平面図である。
【０１８８】
本実施態様においては、上述のようにパーティション１が組み立てられる際に、上縁骨格部材５７が、平面視において併せて略矩形に連結される第一のシート２および第二のシート３の上縁内側に取付けられる。
【０１８９】
ここに、図１２（ａ）に示されるように、平面視略矩形に互いに連結される第一のシート２および第二のシート３に対し、上縁骨格部材５７は、平面視において、僅かに小さく構成されているのみであり、平面視における占有面積としては、上縁骨格部材５７と、パーティション１（略矩形に互いに連結される第一のシート２および第二のシート３）との間に大きな差異はない。
【０１９０】
したがって、避難所内において、作業者は、第一のシート２および第二のシート３に第一の棒状部材３１ないし３８を取り付ける作業を開始する前に、予め、複数の利用者が使用する複数の各パーティション１の各上縁骨格部材５７を組み立て、避難所の床に並べておくことによって、複数のパーティション１の区分けを行うことができる。すなわち、予め、複数のパーティション１の各上縁骨格部材５７を、各パーティション１の設置が予定される場所に配置し、各パーティション１の設置スペースや、各パーティション１同士の間隔を調整しておくことによって、各パーティション１を組み立てた後に、各パーティション１の場所を移動させる事態を防止することができ、各パーティション１の移動作業の負担をなくすことができる。
【０１９１】
本実施態様によれば、間仕切り部材として機能する第一のシート２および第二のシート３の各矩形領域５ないし８ならびに２５ないし２８に取り付けられる２本の第一の棒状部材の上部がそれぞれ、各矩形領域５ないし８ならびに２５ないし２８の左辺上部または右辺上部に沿い、下部がそれぞれ、各矩形領域５ないし８ならびに２５ないし２８の下辺右部または下辺左部に沿うように、２本の第一の棒状部材が交差した状態で、各矩形領域５ないし８ならびに２５ないし２８に取付け可能に構成されているから、２本の第一の棒状部材によって、第一のシート２および第二のシート３の各矩形領域５ないし８ならびに２５ないし２８を平面状にピンと張ることができる。
【０１９２】
さらに、このように、第一のシート２および第二のシート３の各矩形領域５ないし８ならびに２５ないし２８で第一の棒状部材を交差させ、第一のシート２および第二のシート３の各矩形領域５ないし８ならびに２５ないし２８をピンと張ることが可能に構成されていることによって、第一のシート２および第二のシート３の隣接する矩形領域同士に平面視で角度をつけて（図１１および図１６参照）、第一のシート２および第二のシート３を床に対して略垂直に自立させることができるから、特許文献２に記載されたパーティションのように、棒状部材を支持する支持部材を別途設けて、または、棒状部材を、安定して自立可能な程度に太く構成する必要がなく、したがって、パーティション１を軽量に製作することができる。
【０１９３】
また、本実施態様によれば、図１０に示されるように、複数の第一の棒状部材３１ないし３８の下部がそれぞれ、第一のシート２および第二のシート３の矩形領域５ないし８ならびに２５ないし２８の下辺に沿うように各矩形領域５ないし８ならびに２５ないし２８に取付けられるから、第一のシート２および第二のシート３の下辺を床に当接させることができ、利用者のプライバシーを確保することができる。
【０１９４】
さらに、本実施態様によれば、各第一の棒状部材３１ないし３８の上部が、各矩形領域５ないし８ならびに２５ないし２８の左辺上部または右辺上部に沿い、各第一の棒状部材３１ないし３８の下部が、各矩形領域５ないし８ならびに２５ないし２８の下辺右部または下辺左部に沿うようにしなった状態（湾曲した状態）で、各矩形領域５ないし８ならびに２５ないし２８に取付けられるから、各第一の棒状部材３１ないし３８の反発力を利用して、第一のシート２および第二のシート３の各矩形領域５ないし８ならびに２５ないし２８を、一層ピンと張ることができる。
【０１９５】
また、本実施態様によれば、図１０および図１７に示されるように、第一のシート２および第二のシート３の各矩形領域５ないし８ならびに２５ないし２８の上縁内部にそれぞれ、上縁と平行の向きで第二の棒状部材５３が設けられているから、各矩形領域上縁の左右方向中央部が下方に垂れてしまう事態を防止することができる。
【０１９６】
さらに、本実施態様によれば、平面視において併せて略矩形に連結された第一のシート２および第二のシート３の上縁に、略矩形に連結された第三の棒状部材５８（上縁骨格部材５７、図１１ないし図１３参照）を取付けることができるから、軽量な第一のシート２および第二のシート３の上縁が風によって振れたり、変形する事態を効果的に抑制することができる。
【０１９７】
また、実施態様によれば、避難所において、第一のシート２および第二のシート３を設置する前に、予め、複数設置される各パーティション１の上縁骨格部材５７を組み立てて（図１８参照）、避難所の床に並べておくことによって、複数のパーティション１の区分けを行うことができる。
【０１９８】
さらに、本実施態様によれば、平面視において併せて略矩形に連結された第一のシート２および第二のシート３の下縁に、３本の第三の棒状部材５８（下縁骨格部材６６、図１２（ｂ）参照）を取付けることができるから、第一のシート２および第二のシート３の下縁が変形してしまう事態を防止することができる。
【０１９９】
本考案は、以上の実施態様に限定されることなく、実用新案登録請求の範囲に記載された考案の範囲内で種々の変更が可能であり、それらも本考案の範囲内に包含されるものであることはいうまでもない。
【０２００】
例えば、図１ないし図２０に示された各実施態様においては、第一の棒状部材がそれぞれ、グラスファイバーによって構成されているが、第一の棒状部材がグラスファイバーによって構成されることは必ずしも必要でなく、軽量で、かつ、好ましくは各矩形領域５ないし８において湾曲可能であれば、その材質はとくに限定されない。
【０２０１】
また、図１ないし図２０に示された各実施態様においては、パーティション１は、災害時などに、避難所の床に設置されるように構成されているが、パーティション１が設置される場所・用途はとくに限定されない。
【０２０２】
さらに、図１ないし図２０に示された各実施態様においては、水平方向に並ぶ矩形領域のすべてが略同一の高さおよび幅を有するように構成されているが、すべての矩形領域の高さおよび幅を略同一に構成することは必ずしも必要でない。
【０２０３】
また、図１ないし図２０に示された各実施態様においては、パーティション１は組み立て式に構成されているが、パーティション１を組み立て式に構成することは必ずしも必要でなく、第一の棒状部材は、はじめから第一のシート２または第二のシート３に固定された状態であってもよい。
【０２０４】
また、図１ないし図８に示された実施態様においては、第一のシート２の矩形領域は計８つに構成されているが、矩形領域の数は８未満でも９以上でもよい。
【０２０５】
さらに、図１ないし図７に示された実施態様においては、矩形領域５が扉として使用されるように構成されているが、矩形領域５を扉として用いることは必ずしも必要でなく、矩形領域２８を扉として使用してもよい。さらに、矩形領域５と矩形領域２８との間の境界部分が、図１に示された他の隣接する矩形領域同士の境目部分に位置するように配置することによって、扉として用いる矩形領域５または２８の位置を、任意に変更することができる。
【０２０６】
また、図６および図７に示された実施態様においては、パーティション１の下縁の変形防止部材１３６，１３７が直方体状に構成されているが、変形防止部材１３６，１３７が直方体状であることは必ずしも必要でなく、円柱状などに構成されていてもよい。また、変形防止部材１３６，１３７が、避難所の床などの設置面に貼り付けられることは必ずしも必要でなく、例えば、土嚢などの重量物をパーティション１の内側に形成された間仕切り空間９の角部（隅）に配置することによっても、パーティション１の下縁の風などによる変形と移動を防止することができる。
【０２０７】
また、図６および図７に示された実施態様においては、図７（ｃ）に示されるように、扉として機能する矩形領域５の近傍に設けられる２つの変形防止部材１３７にそれぞれ取り付けられた紐１３８が、第一の棒状部材４７または３４に結び付けられることによって、第一のシート２の矩形領域６および矩形領域２８の下縁の変形や移動を防止可能に構成されているが、変形防止部材１３７に紐１３８を設けることは必ずしも必要でなく、図８に示された実施態様と同様に、第一のシート２の各布１２１ないし１２６に左右一対のベルト５５，５６を設け、矩形領域６および２８の布１２４および１２６の左右一対のベルト５５，５６をそれぞれ、変形防止部材１３７に巻き付けることによって、床に貼り付けられた変形防止部材１３７に、矩形領域６および２８を取り付けて、矩形領域６および矩形領域２８の下縁の変形や移動を防止するように構成してもよい。この場合には、変形防止部材１３７は、変形防止部材１３６と同一である。さらに、第一のシート２の各布１２１ないし１２６に左右一対のベルト５５，５６を設ける場合には、図６および図７（ｂ）に示された変形防止部材１２６を、矩形領域の境目部分７０，１１８および１２０の布１２４に設けられる左右一対のベルト５５，５６を用いて、境目部分７０，１１８および１２０の下部に固定することによって、第一のシート２の下縁の変形や移動をより一層効果的に防止することができる。
【０２０８】
さらに、変形防止部材１３６または１３７を、間仕切り空間９の四隅のすべてに設けることは必ずしも必要でなく、少なくとも１つの角部（隅）に変形防止部材１３６または１３７が設けられることによって、第一のシート２の下縁の変形を防止し、または抑制することができる。
【０２０９】
さらに、図８に示された実施態様においては、支持部材１１１のベース１１５上に、重石１１６が載置されることによって、第一のシート２および支持部材１１１の転倒を防止可能に構成されているが、重石１１６を設けることは必ずしも必要でなく、支持部材１１１を重く構成することによって、第一のシート２および支持部材１１１の転倒を防止するように構成してもよい。また、重石１１６が土嚢によって構成されることは必ずしも必要でない。
【０２１０】
また、図８に示された実施態様においては、矩形領域の３つの境目部分６９，１１７および１１９にそれぞれ、上下二対のベルト５５および５６を用いて、支持部材１１１が取り付けられているが、支持部材１１１の場所は、計７か所の境目部分６８ないし７０ならびに１１７ないし１２０の中から任意に選択することができる。
【０２１１】
さらに、図８に示された実施態様においては、図８（ｂ）に示された筒状シート１１２を用いて、第一のシート２の左右両端部にそれぞれ、支持部材１１１が取り付けられているが、支持部材１１１の取付けに筒状シート１１２を用いることは必ずしも必要でなく、第一のシート２の左右両端部に設けられた上下二対のベルト５５および５６を用いて、第一のシート２の左右両端部にそれぞれ、支持部材１１１を取り付けてもよい。
【０２１２】
また、図９ないし図２０に示された前記実施態様においては、第一のシート２および第二のシート３が、平面視において併せて略矩形に連結されるように構成されているが、複数のシートを備えていることは必ずしも必要でなく、図１６に示されるように、単一の第一のシート２に第一の棒状部材３１ないし３８を取付けし、屏風のように、隣り合う矩形領域同士に角度をつけて自立させ、空間を間仕切り可能に構成してもよい。
【０２１３】
さらに、図９ないし図２０に示された前記実施態様においては、図１０に示されるように、すべての第一の棒状部材３１ないし３８が第一のシート２の内側の面に取り付けられているが、一部の、またはすべての第一の棒状部材３１ないし３８を第一のシート２の外側の面（間仕切り空間９に対向しない面）に取付け可能に構成してもよい。
【０２１４】
また、図９ないし図２０に示された前記実施態様においては、図１５（ｂ）および図１７に示されるように、第一シート２および第二シート３の上下左右の縁はそれぞれ、２つ折りに構成されているが、３つ折りであってもよい。
【０２１５】
さらに、図９ないし図２０に示された前記実施態様においては、第一のシート２および第二のシート３はそれぞれ、略同一の高さおよび幅を有する４つの矩形領域５ないし８ならびに２５ないし２８を有しているが、各シート２および３の矩形領域の数は３つ以下に構成されてもよく、５つ以上に構成されてもよい。また、第一のシート２と第二のシート３の矩形領域の数を同一に構成することは必ずしも必要でなく、矩形領域の数が互いに異なるように構成してもよい。さらに、間仕切り部材として機能し、互いに連結されるシートの数は、３枚以上であってもよい。
【０２１６】
すなわち、第一のシート２および第二のシート３の他に、同様に面ファスナー２１および２２を左右の縁に有するシートを別途設け、３枚以上のシートをそれぞれ、第一の棒状部材３１ないし３８を用いて自立させた状態で、互いに連結可能に構成してもよい。この場合には、上縁骨格部材５７および下縁骨格部材６６の各第三の棒状部材５８の長さを変更することによって、シート上縁および下縁の変形を防止することができる。
【０２１７】
また、図９ないし図２０に示された前記実施態様においては、図１９に示されるように、矩形領域５のみが扉として機能するように構成されているが、矩形領域２５を扉として使用してもよく、矩形領域５および２５の両方を扉として使用してもよい。
【符号の説明】
【０２１８】
１  パーティション
２  第一のシート
３  第二のシート
４  窓部
５  矩形領域
６  矩形領域
７  矩形領域
８  矩形領域
９  間仕切り空間
１０  取付けベルト
１１  上方ベルト
１２  下方ベルト
１３  面ファスナー
１４  面ファスナー
１６  領域境目挿入部
１７  左筒部
１８  右筒部
１９  帯
２１  面ファスナー
２２  面ファスナー
２３  間隙
２４  間隙
２５  矩形領域
２６  矩形領域
２７  矩形領域
２８  矩形領域
２９  帯
３０  帯
３１  第一の棒状部材
３２  第一の棒状部材
３３  第一の棒状部材
３４  第一の棒状部材
３５  第一の棒状部材
３６  第一の棒状部材
３７  第一の棒状部材
３８  第一の棒状部材
３９  下筒部
４０  上筒部
４１  第一の棒状部材
４２  第一の棒状部材
４３  第一の棒状部材
４４  第一の棒状部材
４５  第一の棒状部材
４６  第一の棒状部材
４７  第一の棒状部材
４８  第一の棒状部材
４９  上縁変形防止棒状部材
５０  保持部材
５１  連結金具
５２  保持シート
５３  第二の棒状部材
５５  ベルト
５６  ベルト
５７  上縁骨格部材
５８  第三の棒状部材
６０  面ファスナー
６１  面ファスナー
６２  面ファスナー
６３  面ファスナー
６４  面ファスナー
６６  下縁骨格部材
６８  境目部分
６９  境目部分
７０  境目部分
７２  ミシン目
７３  ミシン目
７４  ミシン目
７５  ミシン目
７６  ミシン目
７７  ミシン目
７８  ミシン目
７９  ミシン目
８１  左筒部
８２  右筒部
８４  左筒部
８５  右筒部
８７  下筒部
８８  下筒部
９０  ミシン目
９１  ミシン目
９２  ミシン目
９３  ミシン目
９４  ミシン目
９５  ミシン目
９６  ミシン目
９７  ミシン目
９８  ミシン目
１００  折り返し部
１０１  折り返し部
１０２  折り返し部
１０３  折り返し部
１０６  折り返し部面ファスナー
１０７  対折り返し部面ファスナー
１０９  左端筒部
１１０  右端筒部
１１１  支持部材
１１２  筒状シート
１１３  面ファスナー
１１４  支柱
１１５  ベース
１１６  重石
１１７  境目部分
１１８  境目部分
１１９  境目部分
１２０  境目部分
１２１  布
１２２  布
１２３  布
１２４  布
１２５  布
１２６  布
１２７  ポケット
１２８  ポケット
１２９  ポケット
１３０  ポケット
１３１  ポケット
１３２  ポケット
１３３  ポケット
１３４  ポケット
１３６  変形防止部材
１３７  紐付きの変形防止部材
１３８  紐
【図１】
0003230764.tif 000003
【図２】
0003230764.tif 000004
【図３】
0003230764.tif 000005
【図４】
0003230764.tif 000006
【図５】
0003230764.tif 000007
【図６】
0003230764.tif 000008
【図７】
0003230764.tif 000009
【図８】
0003230764.tif 000010
【図９】
0003230764.tif 000011
【図１０】
0003230764.tif 000012
【図１１】
0003230764.tif 000013
【図１２】
0003230764.tif 000014
【図１３】
0003230764.tif 000015
【図１４】
0003230764.tif 000016
【図１５】
0003230764.tif 000017
【図１６】
0003230764.tif 000018
【図１７】
0003230764.tif 000019
【図１８】
0003230764.tif 000020
【図１９】
0003230764.tif 000021
【図２０】
0003230764.tif 000022